(57)【要約】【課題】  プロジェクタの排気を活用して、イベントの演出効果を高めることが可能なイベント用プロジェクタを提供する。【解決手段】  投写光学系１０の近傍には、筐体５の内部を冷却するためのファン２０が備えられている。また、ファン２０の下流側には、空気の排出方向を規制する排気ガイド３０が備えられている。排気ガイド３０は、排気方向を左右に変更しながら排気を行うため、人感センサ５６によって検出された入場者Ｐに対して排気が断続的に吹きかかる。【選択図】  図１
2006106461.tif 000002
【特許請求の範囲】
【請求項１】
光源と、前記光源から射出した光を変調し光学像を形成する電気光学装置とを備え、前記電気光学装置により形成された前記光学像を投写する投写光学系と、
前記投写光学系を冷却するための空気を吸入するとともに、加熱された空気を排出する送風部と、
前記加熱された空気の排出方向を変更可能な排気方向変更手段と、
を備え、前記排気方向変更手段によって、排気方向を変更しながら排気を行うことを特徴とするイベント用プロジェクタ。
【請求項２】
請求項１に記載のイベント用プロジェクタにおいて、
物体の存在を検知可能な検知部を備え、前記検知部による検知結果に基づいて、前記光源の点灯状態を制御することを特徴とするイベント用プロジェクタ。
【請求項３】
光源と、前記光源から射出した光を変調し光学像を形成する電気光学装置とを備え、前記電気光学装置により形成された前記光学像を投写する投写光学系と、
前記投写光学系を冷却するための空気を吸入するとともに、加熱された空気を排出する送風部と、
前記加熱された空気の排出方向を変更可能な排気方向変更手段と、
物体の存在及びその位置を検知可能な検知部と、
を備え、前記排気方向変更手段は、前記検知部による検知結果に基づいて、前記加熱された空気が前記物体に向けて排出されるように排気方向を変更することを特徴とするイベント用プロジェクタ。
【請求項４】
請求項３に記載のイベント用プロジェクタにおいて、
前記検知部による検知結果に基づいて、前記光源の点灯状態を制御することを特徴とするイベント用プロジェクタ。
【請求項５】
請求項１〜４のいずれか１項に記載のイベント用プロジェクタにおいて、
前記光源は、固体光源により構成されていることを特徴とするイベント用プロジェクタ。
【請求項６】
請求項１〜５のいずれか１項に記載のイベント用プロジェクタにおいて、
撮像装置と、
前記撮像装置で撮像された画像を加工する画像処理部と、
を備え、前記撮像装置で撮像されて前記画像処理部で加工された画像を投写可能であることを特徴とするイベント用プロジェクタ。
【発明の詳細な説明】
【技術分野】
【０００１】
本発明は、お化け屋敷等のイベントでの使用に好適なイベント用プロジェクタに関する。
【背景技術】
【０００２】
光源から射出した光を、液晶ライトバルブ等の電気光学装置によって変調し、スクリーン等に画像を投写するプロジェクタは、光源が発する熱によって電気光学装置等が劣化するのを抑制するために、ファン等によって吸入した外気でプロジェクタの内部を冷却するとともに、加熱された空気を外部に排出している。
【０００３】
加熱空気が使用者に向けて排出されると、使用者に不快感を与えることから、使用者を避けて排気可能なプロジェクタが提案されている（例えば、特許文献１，２）。
【０００４】
一方、お化け屋敷のように視覚的な演出を行うイベント等において、映像や音響による演出の効果をさらに高めるために、参加者に対して温風等を送風し、触覚的な効果を狙った演出がなされる場合がある。
【０００５】
【特許文献１】実開平５−５９４２４号公報
【特許文献２】特開２００３−２０２６３１号公報
【発明の開示】
【発明が解決しようとする課題】
【０００６】
しかしながら、上記イベントの映像表示にプロジェクタを用いた場合でも、特許文献１及び２に記載のプロジェクタをはじめ、従来のプロジェクタは、使用者に対する積極的な送風を考慮していない。このため、イベント参加者に対する送風にプロジェクタの排気を活用することは困難であり、別途、熱源や送風機を用意する必要があった。
【０００７】
本発明は、上記問題を鑑みてなされたものであり、その目的は、プロジェクタの排気を活用して、イベントの演出効果を高めることが可能なイベント用プロジェクタを提供することにある。
【課題を解決するための手段】
【０００８】
本発明のイベント用プロジェクタは、光源と、前記光源から射出した光を変調し光学像を形成する電気光学装置とを備え、前記電気光学装置により形成された前記光学像を投写する投写光学系と、前記投写光学系を冷却するための空気を吸入するとともに、加熱された空気を排出する送風部と、前記加熱された空気の排出方向を変更可能な排気方向変更手段とを備え、前記排気方向変更手段によって、排気方向を変更しながら排気を行うことを特徴とする。
【０００９】
このイベント用プロジェクタによれば、排気方向変更手段によって排気方向を変更しながら排気を行うため、広い範囲に温風を排出することが可能となる。この結果、前記範囲内にいる人物に対して温風を感じさせることが可能となり、イベントの演出効果を高めることが可能となる。
【００１０】
このイベント用プロジェクタにおいて、物体の存在を検知可能な検知部を備え、前記検知部による検知結果に基づいて、前記光源の点灯状態を制御することが望ましい。
【００１１】
このイベント用プロジェクタによれば、人物等がプロジェクタの近傍に存在しない場合に光源を消灯させることが可能となり、消費電力を低減することが可能となる。
【００１２】
本発明のイベント用プロジェクタは、光源と、前記光源から射出した光を変調し光学像を形成する電気光学装置とを備え、前記電気光学装置により形成された前記光学像を投写する投写光学系と、前記投写光学系を冷却するための空気を吸入するとともに、加熱された空気を排出する送風部と、前記加熱された空気の排出方向を変更可能な排気方向変更手段と、物体の存在及びその位置を検知可能な検知部とを備え、前記排気方向変更手段は、前記検知部による検知結果に基づいて、前記加熱された空気が前記物体に向けて排出されるように排気方向を変更することを特徴とする。
【００１３】
このイベント用プロジェクタによれば、人物等が存在する位置に対して温風を排気することにより、当該人物に対して温風を感じさせることが可能となるため、イベントの演出効果を高めることが可能となる。
【００１４】
このイベント用プロジェクタにおいて、前記検知部による検知結果に基づいて、前記光源の点灯状態を制御することが望ましい。
【００１５】
このイベント用プロジェクタによれば、人物等がプロジェクタの近傍に存在しない場合に光源を消灯させることが可能となるため、消費電力を低減することが可能となる。
【００１６】
このイベント用プロジェクタにおいて、前記光源は、固体光源により構成されていることが望ましい。
【００１７】
このイベント用プロジェクタによれば、光源として、瞬時点灯や瞬時消灯が可能な個体光源を用いているため、消灯の状態から、瞬時に映像を表示することが可能となり、イベントの演出効果をより高めることが可能となる。
【００１８】
このイベント用プロジェクタにおいて、撮像装置と、前記撮像装置で撮像された画像を加工する画像処理部とを備え、前記撮像装置で撮像されて前記画像処理部で加工された画像を投写可能であることが望ましい。
【００１９】
このイベント用プロジェクタによれば、撮像装置で人物を撮像し、撮像した画像に対して演出効果を高める加工を施した後に投写することにより、当該人物の意表を突く演出が可能となる。この結果、温風による触覚的効果と相乗して、イベントの演出効果をさらに高めることが可能となる。
【発明を実施するための最良の形態】
【００２０】
（第１実施形態）
以下、本発明の第１実施形態のイベント用プロジェクタについて、図面を参照して説明する。図１は、本実施形態のイベント用プロジェクタの概略構成を示す構成図である。なお、本実施形態のイベント用プロジェクタ１は、お化け屋敷等、参加者に対して恐怖心を与えることを目的としたイベントにおいて用いられるものであり、お化けや幽霊等を表現した映像を投写可能になっている。
【００２１】
図１に示すように、イベント用プロジェクタ１は、筐体５を有しており、筐体５の内部には、画像の表示を行う投写光学系１０が備えられている。投写光学系１０は、光源としてのＬＥＤ光源１１と、電気光学装置としての液晶ライトバルブ１２と、投写レンズ１３とを備えている。
【００２２】
ＬＥＤ光源１１は、マトリクス状に配列された複数のＬＥＤ（Light Emitting Diode：発光ダイオード）１１ａを有している。ＬＥＤ光源１１等の固体光源は、メタルハライドランプ等の放電型光源ランプに比べて、電源を含めて小型化が可能であるうえ、瞬時点灯／消灯が可能であること、色再現性が広く長寿命であること等、プロジェクタ用の光源として多くの利点を備えている。
【００２３】
液晶ライトバルブ１２には、図示しない複数の画素が形成されており、ＬＥＤ光源１１から射出した光を、画像データに基づいて画素毎に変調することにより、画像データに応じた光学像を形成する。液晶ライトバルブ１２で形成された光学像は、投写レンズ１３によって、壁面Ｗやスクリーン等に向けて拡大投写される。
【００２４】
図２は、投写光学系１０の構成をより詳細に説明する説明図である。
図２に示すように、本実施形態のＬＥＤ光源１１は、それぞれ波長域の異なる３色（赤、緑、青）の色光Ｒ，Ｇ，Ｂを発する３つのＬＥＤ光源１１Ｒ，１１Ｇ，１１Ｂからなっている。各ＬＥＤ光源１１Ｒ，１１Ｇ，１１Ｂから射出した色光Ｒ，Ｇ，Ｂは、レンズアレイ（図示せず）やミラー１４、或いはロッドインテグレータ（図示せず）等からなる光学系を経由して、それぞれ３つの液晶ライトバルブ１２Ｒ，１２Ｇ，１２Ｂを照明する。液晶ライトバルブ１２Ｒ，１２Ｇ，１２Ｂによって色光毎に変調された変調光は、クロスダイクロイックプリズム１５によって合成されて、カラーの光学像が形成され、この光学像が投写レンズ１３を介して壁面Ｗに投写される。
【００２５】
なお、それぞれ波長域の異なる３色（赤、緑、青）の色光Ｒ，Ｇ，Ｂを発する３つのＬＥＤ光源１１Ｒ，１１Ｇ，１１Ｂを用いる代わりに、白色のＬＥＤ光源と、白色光を波長域の異なる３色（赤、緑、青）の色光Ｒ，Ｇ，Ｂに分離可能な色光分離部とを備え、ＬＥＤ光源から発した光を、色光分離部によって分離した後に、３つの液晶ライトバルブ１２Ｒ，１２Ｇ，１２Ｂに入射するようにしてもよい。
【００２６】
図１に戻って、ＬＥＤ光源１１の点灯に伴って発する熱は、筐体５の内部の空気を加熱し、筐体５の内部の温度を上昇させる。これにより、ＬＥＤ光源１１自身や液晶ライトバルブ１２をはじめ、投写光学系１０に含まれる各光学部材の特性が変化したり、性能が劣化したりするのを抑制するため、投写光学系１０の近傍には、筐体５の内部を冷却するための送風部としてのファン２０が備えられている。また、ファン２０の下流側には、空気の排出方向を規制する排気ガイド３０が備えられている。
【００２７】
ファン２０が回転すると、筐体５の外部の空気が、筐体５に備えられた吸気口５ａから内部に吸い込まれ、投写光学系１０を冷却する。熱交換により加熱した空気は、ファン２０によって排気ガイド３０に送られ、筐体５に備えられた排気口５ｂから排出される。
【００２８】
図３（ａ）〜（ｃ）は、排気ガイド３０の動作を説明する説明図である。
図３（ａ）に示すように、排気ガイド３０は、支持板３１と、支持板３１に固定された複数のガイド板３２とを備えており、各ガイド板３２は、互いに平行に備えられるとともに、支持板３１に対して垂直に固定されている。ファン２０の回転によって送風され、排気ガイド３０に至った空気は、ガイド板３２に沿って流れるため、排気ガイド３０を通過した後も、ガイド板３２と略平行な方向に排出される。
【００２９】
また、支持板３１は、支持板３１の略中央に垂直に備えられた回転軸３３の周りを回動可能となっており、支持板３１を回動することにより、図３（ｂ）、（ｃ）に示すように、排気方向を変更することができる。図３（ｂ）、（ｃ）は、支持板３１をそれぞれ＋θ方向、−θ方向に最も回動させた状態を示している。
【００３０】
図１に戻って、筐体５の内部には、イベント用プロジェクタ１の動作を司る主制御部５０が備えられており、主制御部５０には、主記憶部５１、画像制御部５２、光源駆動部５３、ファン駆動部５４、排気ガイド駆動部５５、検知部としての人感センサ５６が接続されている。
【００３１】
主記憶部５１には、イベント用プロジェクタ１の制御プログラム等が記憶されており、主制御部５０は、この制御プログラムに従ってイベント用プロジェクタ１の動作を制御する。
【００３２】
画像制御部５２は、画像記憶部５７と液晶ライトバルブ駆動部５８とに接続されており、主制御部５０からの指示に基づき、投写光学系１０を用いた画像表示の制御を行う。具体的には、画像記憶部５７に記憶されたお化けや幽霊を表現した画像データを読み出して、ガンマ補正等の画像処理を施した後に、画像データを液晶ライトバルブ駆動部５８に出力する。液晶ライトバルブ駆動部５８が、入力された画像データに基づいて、液晶ライトバルブ１２の各画素の透過率を制御することにより、ＬＥＤ光源１１から射出した光が変調される。
【００３３】
光源駆動部５３、ファン駆動部５４、排気ガイド駆動部５５は、主制御部５０からの指示に基づいて、それぞれＬＥＤ光源１１、ファン２０、排気ガイド３０の駆動を行うものであり、具体的には、ＬＥＤ光源１１の点灯／消灯、ファン２０の回転の開始／停止、排気ガイド３０の回動の開始／停止を行うことができる。ここで、主制御部５０と排気ガイド駆動部５５と排気ガイド３０とは、イベント用プロジェクタ１の排気方向を変更する排気方向変更手段として機能する。
【００３４】
人感センサ５６は、赤外線や超音波等を利用したセンサであり、イベント用プロジェクタ１近傍の所定の範囲（検知可能範囲）内における人の存在を検知し、検知結果を主制御部５０に出力可能になっている。
【００３５】
図４は、イベント用プロジェクタ１の設置例を示す説明図であり、イベント用プロジェクタ１をお化け屋敷の進路途中の天井に設置した例を示している。
図４に示すように、イベント用プロジェクタ１は、人感センサ５６によって入場者Ｐがイベント用プロジェクタ１の近傍に近づいたことを検知すると、入場者Ｐに対して恐怖心を与えるための映像表示を開始するとともに、排気ガイド３０によって排気方向を変更しながら温風の排気を開始する。なお、人感センサ５６の検知可能範囲は、排気方向を変更しながら排気を行う際に、排気の一部が検知された入場者Ｐに対して吹きかかるように、その範囲が設定されている。
【００３６】
次に、本実施形態のイベント用プロジェクタ１の動作について、図面を参照して説明する。図５は、イベント用プロジェクタ１の動作を示すフローチャートである。
【００３７】
図５に示すように、ステップＳ１０１では、主制御部５０が、人感センサ５６によって入場者Ｐの存在が検知されているか否かを判断し、検知されていればステップＳ１０２に移行し、検知されていなければステップＳ１１１に移行する。
【００３８】
入場者Ｐの存在が検知されてステップＳ１０２に移行した場合には、主制御部５０は、ＬＥＤ光源１１が消灯中か否かを判断し、消灯中であればステップＳ１０３に移行し、点灯中であればステップＳ１０１に戻る。
【００３９】
ステップＳ１０３では、主制御部５０が光源駆動部５３に指示をして、ＬＥＤ光源１１を点灯し、ステップＳ１０４に移行する。
【００４０】
ステップＳ１０４では、主制御部５０が画像制御部５２に指示をして、液晶ライトバルブ１２の駆動を開始する。これにより、壁面Ｗには、お化けを表現した映像が表示され（図４参照）、ステップＳ１０５に移行する。
【００４１】
ステップＳ１０５では、主制御部５０がファン駆動部５４に指示をして、ファン２０の回転を開始し、ステップＳ１０６に移行する。
【００４２】
ステップＳ１０６では、主制御部５０が排気ガイド駆動部５５に指示をして、排気ガイド３０の回動を開始する。排気ガイド３０は、＋θ方向（図３参照）の回動と−θ方向の回動とを繰り返すことによって排気方向を左右に変更しながら排気を行う。これにより、人感センサ５６によって検出された入場者Ｐに対して排気が断続的に吹きかかる。その後、ステップＳ１０１に戻る。
【００４３】
ステップＳ１０１において、入場者Ｐの存在が検知されず、ステップＳ１１１に移行した場合には、主制御部５０は、ＬＥＤ光源１１が点灯中か否かを判断し、点灯中であればステップＳ１１２に移行し、消灯中であればステップＳ１０１に戻る。
【００４４】
ステップＳ１１２では、主制御部５０が光源駆動部５３に指示をして、ＬＥＤ光源１１を消灯し、ステップＳ１１３に移行する。
【００４５】
ステップＳ１１３では、主制御部５０が画像制御部５２に指示をして、液晶ライトバルブ１２の駆動を停止し、ステップＳ１１４に移行する。
【００４６】
ステップＳ１１４では、主制御部５０がファン駆動部５４に指示をして、ファン２０の回転を停止し、ステップＳ１１５に移行する。
【００４７】
ステップＳ１１５では、主制御部５０が排気ガイド駆動部５５に指示をして、排気ガイド３０の回動を停止する。その後、ステップＳ１０１に戻る。
【００４８】
以上説明したように、本実施形態のイベント用プロジェクタ１によれば、以下の効果を得ることができる。
【００４９】
（１）本実施形態のイベント用プロジェクタ１によれば、排気ガイド３０によって排気方向を変更しながら排気を行うため、広い範囲に温風を排出することが可能となる。この結果、前記範囲内にいる人物に対して温風を感じさせることが可能となり、イベントの演出効果（恐怖心を煽る効果）を高めることが可能となる。
【００５０】
（２）本実施形態のイベント用プロジェクタ１によれば、人感センサ５６による検知結果に基づいて、入場者Ｐがイベント用プロジェクタ１の近傍に存在しない場合にＬＥＤ光源１１を消灯させているため、消費電力を低減することが可能となる。
【００５１】
（３）本実施形態のイベント用プロジェクタ１によれば、光源として、瞬時点灯や瞬時消灯が可能な個体光源（ＬＥＤ光源１１）を用いているため、消灯の状態から、瞬時に映像を表示することが可能となり、イベントの演出効果をより高めることが可能となる。
【００５２】
（第２実施形態）
以下、本発明の第２実施形態のイベント用プロジェクタについて、図面を参照して説明する。図６は、本実施形態のイベント用プロジェクタの設置例を示す説明図であり、図７は、イベント用プロジェクタの動作を示すフローチャートである。
【００５３】
本実施形態のイベント用プロジェクタ１は、イベント用プロジェクタ１の近傍に近づいた入場者Ｐの位置を認識可能になっており、入場者Ｐの位置に向かって排気を吹きかけることができるようになっている。具体的には、図６に示すように、イベント用プロジェクタ１には、２つの人感センサ５６ａ，５６ｂが備えられており、それぞれの検知可能範囲は、一部が重複するように設定されている。このため、イベント用プロジェクタ１の検知可能範囲は、人感センサ５６ａのみで検知可能な第１のゾーン、人感センサ５６ｂのみで検知可能な第２のゾーン、及び、両方の人感センサ５６ａ，５６ｂで検知可能な第３のゾーンの３つに分けることができる。
【００５４】
図７に示したフローチャートのステップＳ１０１において、イベント用プロジェクタ１が入場者Ｐを検知する際、入場者Ｐが人感センサ５６ａのみで検知されたか、人感センサ５６ｂのみで検知されたか、或いは、両方の人感センサ５６ａ，５６ｂで検知されたかを判断することにより、入場者Ｐが前記３つのゾーンのうち、どのゾーンに存在するかを認識することが可能となっている。さらに、ステップＳ１０６において、主制御部５０が排気ガイド３０を回動し、排気方向を入場者Ｐの位置（ゾーン）に向けた方向に変更することにより、入場者Ｐに排気が吹きかかる。
【００５５】
本実施形態では、排気ガイド３０の回動を繰り返すことはせずに、入場者Ｐに向けた一定方向の排気を行っているが、前記各ゾーンを広く設定した場合等には、入場者Ｐが検知されたゾーン全域に排気するように、排気ガイド３０の回動を繰り返すようにしてもよい。
【００５６】
以上説明したように、本実施形態のイベント用プロジェクタ１によれば、前記第１実施形態の効果に加えて、以下の効果を得ることができる。
【００５７】
本実施形態のイベント用プロジェクタ１によれば、入場者Ｐが存在する位置に対して温風を排気することにより、入場者Ｐに対して温風を感じさせることが可能となるため、イベントの演出効果を高めることが可能となる。
【００５８】
（変形例）
なお、本発明の実施形態は、以下のように変更してもよい。
【００５９】
・前記実施形態のイベント用プロジェクタに撮像装置を接続し、当該撮像装置で撮像した画像を加工して投写可能な構成としてもよい。
図８は、本変形例に係るイベント用プロジェクタの設置例を示す説明図である。
図８に示すように、イベント用プロジェクタ１には、離れた位置（例えば、お化け屋敷の入場口）に設置された撮像装置Ｃが接続されており、入場者Ｐの姿を撮像することができるようになっている。ここで、イベント用プロジェクタ１の画像制御部５２は、撮像した入場者Ｐの画像を加工する画像処理部として機能し、例えば、お化けの画像に入場者Ｐの顔を合成した合成画像を生成する。入場者Ｐが進路を進んでイベント用プロジェクタ１の近傍まで来ると、イベント用プロジェクタ１は、人感センサ５６によってこれを検知し、前記合成画像を壁面Ｗに投写するとともに、入場者Ｐに対して排気（温風）を吹きかける。この結果、入場者Ｐの意表を突く演出が可能となり、温風による触覚的効果と相乗して、イベントの演出効果をさらに高めることが可能となる。
【００６０】
・前記第１及び第２実施形態では、お化けや幽霊を表現した画像データは、イベント用プロジェクタ１の画像記憶部５７に記憶されているが、イベント用プロジェクタ１の外部に、ＰＣ（パーソナルコンピュータ）やＶＴＲ（磁気記録再生装置）等の画像供給装置を備え、有線又は無線でイベント用プロジェクタ１に画像を供給するようにしてもよい。
【００６１】
・前記第１及び第２実施形態では、電気光学装置として、透過型の液晶ライトバルブ１２を用いているが、反射型のＬＣＯＳ（Liquid Crystal On Silicon）を用いることも可能である。また、入射した光の射出方向を、画素としてのマイクロミラー毎に制御することにより、光源から射出した光を変調するＤＭＤ（登録商標）（デジタル・マイクロミラー・デバイス）等を用いることもできる。
【００６２】
・前記実施形態では、固体光源としてＬＥＤ光源１１を用いているが、他の固体光源であるエレクトロルミネッセンス（ＥＬ）や半導体レーザー（ＬＤ）等を用いてもよい。また、光源は、固体光源に限定されず、放電型光源ランプ等を用いてもよい。
【図面の簡単な説明】
【００６３】
【図１】第１実施形態のイベント用プロジェクタの概略構成を示す構成図。
【図２】投写光学系１０の構成をより詳細に説明する説明図。
【図３】（ａ）〜（ｃ）は、排気ガイドの動作を説明する説明図。
【図４】第１実施形態のイベント用プロジェクタの設置例を示す説明図。
【図５】第１実施形態のイベント用プロジェクタの動作を示すフローチャート。
【図６】第２実施形態のイベント用プロジェクタの設置例を示す説明図。
【図７】第２実施形態のイベント用プロジェクタの動作を示すフローチャート。
【図８】変形例に係るイベント用プロジェクタの設置例を示す説明図。
【符号の説明】
【００６４】
１…イベント用プロジェクタ、５…筐体、５ａ…吸気口、５ｂ…排気口、１０…投写光学系、１１…ＬＥＤ光源、１１ａ…ＬＥＤ、１２…液晶ライトバルブ、１３…投写レンズ、１４…ミラー、１５…クロスダイクロイックプリズム、２０…ファン、３０…排気ガイド、３１…支持板、３２…ガイド板、３３…回転軸、５０…主制御部、５１…主記憶部、５２…画像制御部、５３…光源駆動部、５４…ファン駆動部、５５…排気ガイド駆動部、５６，５６ａ，５６ｂ…人感センサ、５７…画像記憶部、５８…液晶ライトバルブ駆動部、Ｐ…入場者、Ｃ…撮像装置、Ｗ…壁面。
【図１】
2006106461.tif 000003
【図２】
2006106461.tif 000004
【図３】
2006106461.tif 000005
【図４】
2006106461.tif 000006
【図５】
2006106461.tif 000007
【図６】
2006106461.tif 000008
【図７】
2006106461.tif 000009
【図８】
2006106461.tif 000010